(57)【要約】【課題】  変更に伴う紙面全体のレイアウト調整を容易かつ迅速に行う。【解決手段】  紙面のレイアウトが確定すると、紙面上に配置された複数の素材が共通項目（テーマ）でグルーピングされ、グループ単位で共通項目（テーマ）、グループ枠及び素材を含むレイアウトについての配置情報５が作成される。紙面レイアウトが確定され、配置情報５が作成された後、素材の入れ替えやレイアウト変更などにより、再配置が指示されると、指示された紙面について、グループ単位ごとに、配置情報５に基づく再配置が行われ、配置情報５が更新される。すなわち、紙面に割り当てられた素材から配置情報５の共通項目（テーマ）に適合する素材が検索され、検索された素材が配置情報５に基づいて紙面に再配置される。【選択図】  図１
2006318143.tif 000002
【特許請求の範囲】
【請求項１】
見出し、絵とき及び記事を含む素材を紙面に配置する紙面レイアウト方法において、
管理手段が、前記紙面に配置された前記素材を共通項目でグルーピングしたグループ単位で、前記共通項目、前記グループを構成する前記素材に関する素材情報、グループ枠及び前記素材の配置を含むレイアウトに関する配置情報を生成して保存する工程と、
再配置手段が、前記グループ単位ごとに、前記紙面に割り当てられた複数の前記素材の中から前記配置情報の前記共通項目に適合する前記素材を検索し、検索された前記素材を前記配置情報に基づいて前記紙面に再配置する工程と、
を有することを特徴とする紙面レイアウト方法。
【請求項２】
前記再配置手段が前記素材を前記紙面に再配置する工程は、
前記グループ単位の再配置を行うごとに、前記グループ単位の再配置が所定の配置規則に適合するかどうかを判定する、
ことを特徴とする請求項１記載の紙面レイアウト方法。
【請求項３】
前記再配置手段が前記素材を前記紙面に再配置する工程は、
前記配置規則に適合しないと判定された場合は、再配置を中断し、適合しないと判断された前記グループ単位より前の前記グループ単位までの再配置に基づいて前記配置情報を更新する、
ことを特徴とする請求項２記載の紙面レイアウト方法。
【請求項４】
前記再配置手段が前記素材を前記紙面に再配置する工程は、
前記紙面上の所定の前記グループ枠が指定されて再配置の指示が行われた場合は、前記配置情報の登録順に従って、前記グループ枠及び前記グループ枠以降の登録順で前記配置情報に設定される前記グループ単位について再配置を行う、
ことを特徴とする請求項１記載の紙面レイアウト方法。
【請求項５】
前記再配置手段が前記素材を前記紙面に再配置する工程は、再配置前の前記配置情報を所定の記憶手段に保存しており、
復帰手段が、前記所定の記憶手段に格納される再配置前の前記配置情報で定義される前記グループ枠の配置に基づき前記紙面に割り当てられた前記素材を再配置し、前記配置情報を更新する工程、
を有することを特徴とする請求項１記載の紙面レイアウト方法。
【発明の詳細な説明】
【技術分野】
【０００１】
本発明は紙面レイアウト方法に関し、特に見出し、絵とき及び記事を含む素材を紙面に配置する紙面レイアウト方法に関する。
【背景技術】
【０００２】
従来、新聞などの印刷物の製版工程の前段階では、コンピュータシステムを用いたレイアウト装置によって紙面の割り付けが行われている。このようなレイアウト装置を用いた紙面レイアウト方法では、表示装置に紙面に対応した画面を表示し、オペレータが画面上でバランスを確認しながら予め割り当てられている（保存されている）写真（絵とき）や見出し、記事などの素材を配置していくという作業が行われる。
【０００３】
紙面レイアウトを作成する際には、まず各記事を配置すべき範囲を枠として設定し、その枠内に実際の記事や写真などを配置させていく。このような素材は、降版（レイアウトの決定）間近まで変更される可能性があり、記事量の増加／減少や写真の追加／削除や大きさ変更などの素材の変更に伴って、レイアウトの変更が余儀なくされている。
【０００４】
そこで、変更された記事や画像が再送されてきた場合に、オペレータの指示により、既に紙面にレイアウトされている記事または画像と置き換えて、再レイアウトを行う紙面レイアウト方法が提案されている（たとえば、特許文献１参照）。
【特許文献１】特開２００１−２７３２８２号公報（段落番号〔０１１７〕〜〔０１４９〕、図３５）
【発明の開示】
【発明が解決しようとする課題】
【０００５】
しかし、従来の紙面レイアウト方法では、素材に変更が生じた場合に、オペレータによるレイアウト調整が必要になるという問題点があった。
素材の入れ替えやレイアウトの変更が行われる場合、記事量の増加または減少など、枠内に配置されるべき素材の変更に伴って、枠（配置すべき範囲）の大きさが変化することがある。すなわち、変更前に設定された枠の範囲に対し、オーバーフローまたはアンダーフローが発生する。しかしながら、従来の紙面レイアウト方法では、素材に変更が生じた場合には変更前に設定されている枠内で調整が行われていた。このため、オーバーフロー／アンダーフローが発生するような場合には、オペレータが手動で隣接する枠や紙面全体の枠の配置状態を調整し、紙面全体のレイアウトを再決定していた。
【０００６】
このように、素材の入れ替えやレイアウトの変更を行った場合に、紙面全体のレイアウト調整を行わなければならないケースでは、自動的に素材の再配置を行うことができなかった。降版間近など時間が限られている場合には、紙面全体のレイアウトの再決定を行う時間がなく、入れ替えを行った素材または隣接する素材の大きさを変更するのみで紙面全体のレイアウトを考慮せずに印刷せざるをえないことがあった。
【０００７】
本発明はこのような点に鑑みてなされたものであり、素材の入れ替えやレイアウト変更に伴う紙面全体のレイアウト調整を容易かつ迅速に行うことが可能な紙面レイアウト方法を提供することを目的とする。
【課題を解決するための手段】
【０００８】
本発明では上記課題を解決するために、見出し、絵とき及び記事を含む素材を紙面に配置する紙面レイアウト方法が提供される。本発明に係る紙面レイアウト方法では、図１に示すような管理手段１及び再配置手段２の各処理手段によって紙面を再レイアウトする工程が実行される。
【０００９】
管理手段１による工程では、レイアウトが確定した紙面に配置された素材を共通項目（テーマ）でグルーピングし、グループ単位で、共通項目（テーマ）、グループ枠及び素材を含むレイアウトに関する配置情報５を生成して保存する。配置情報５には、たとえば、そのグループ単位についての共通項目（テーマ）、組方や組方向などの組規則、グループ枠の位置、各素材の配置などの情報が設定される。再配置手段２による工程では、再配置が指示された紙面について、グループ単位ごとに、紙面に割り当てられた素材から配置情報５の共通項目（テーマ）に適合する素材を検索する。そして、検索された素材を配置情報５に基づいて紙面に再配置し、配置情報５を更新する。
【００１０】
このような紙面レイアウト方法では、紙面のレイアウトが確定すると、紙面上に配置された複数の素材が共通項目（テーマ）でグルーピングされ、グループ単位で共通項目（テーマ）、グループ枠及び素材を含むレイアウトについての配置情報５が作成される。なお、紙面レイアウトは、最終的な降版までに必要に応じて何度でも確定させることができる。紙面レイアウトが確定され、配置情報５が作成された後、素材の入れ替えやレイアウト変更などにより、再配置が指示されると、指示された紙面について、グループ単位ごとに、配置情報５に基づく再配置が行われ、配置情報５が更新される。すなわち、紙面に割り当てられた素材から配置情報５の共通項目（テーマ）に適合する素材が検索され、検索された素材が配置情報５に基づいて紙面に再配置され、また、変更が生じたグループ枠の再配置に連動して、紙面を構成する他のグループ枠も再配置される。
【発明の効果】
【００１１】
本発明では、一度配置した素材の配置情報を管理し、この配置情報を参照利用することにより、所定の紙面に割り当てられた素材を自動的に再配置することが可能となる。この際、配置情報に基づき、変更の生じたグループ枠だけでなく、該グループ枠の変更に連動して紙面を構成する他のグループ枠も再配置し、紙面全体のレイアウトを再決定するので、迅速かつ容易に紙面の再レイアウトができる。この結果、オペレータの負担を軽減することができる。
【発明を実施するための最良の形態】
【００１２】
以下、本発明の実施の形態を図面を参照して説明する。まず、実施の形態に適用される発明の概念について説明し、その後、実施の形態の具体的な内容を説明する。
図１は、実施の形態に適用される発明の概念図である。
【００１３】
本発明に係る紙面レイアウト方法は、管理手段１、再配置手段２、復帰手段３及びレイアウト制御手段４の各処理手段によって手順が実行される。
管理手段１は、レイアウトが確定した紙面について、この紙面に配置された素材を共通項目（以下、テーマとする）でグルーピングし、そのグループ単位ごとに配置情報５を生成し、保存する。また、配置情報５には、テーマ、このグループ単位の素材が配置される範囲を示すグループ枠の紙面上の位置や大きさ、グループ枠内の各素材の配置などが設定される。
【００１４】
再配置手段２は、再配置が指示された紙面について、その紙面に該当する配置情報５を適用し、紙面に割り付けられた素材（紙面と対応付けられた素材で、かつレイアウトされている素材）の再配置を行う。素材の入れ替えが行われた場合は、紙面に割り当てられた素材に入れ替え素材が含まれている。ここでは、一旦、紙面に配置された素材の配置を無効にする。そこから、グループ単位ごとに順に、配置情報５のテーマに適合する素材を紙面に割り当てられた素材の中から検索し、検索された素材を配置情報５に基づいて紙面に再配置し、更新配置情報６を生成する。このとき、隣接するグループ枠同士の関係が配置規則７に適合するかどうかを判定する。適合しないと判定される場合は、レイアウトを中断し、オペレータに通知する。この更新配置情報６に基づいてレイアウトされた紙面は、表示装置などに表示され、オペレータに伝えられる。
【００１５】
復帰手段３は、再配置前の元の配置情報５を読み出し、配置情報５で定義されるグループ枠の配置を固定し、再配置手段２と同様にレイアウト処理を行う。すなわち、グループ単位ごとに順に、配置情報５のテーマに適合する素材を紙面に割り当てられた素材から検索し、検索された素材を、配置情報５に基づいて紙面に再配置し、更新配置情報６を生成する。従って、復帰手段３は再配置手段２のアンドゥ機能に相当し、復帰手段３によって再配置前と同じようにグループ枠が配置されるレイアウトが得られる。
【００１６】
レイアウト制御手段４は、レイアウト処理全体の制御を行い、オペレータが表示画面に表示された紙面レイアウトなどに基づいて行った操作指示に応じて管理手段１、再配置手段２及び復帰手段３による処理手順を開始させる。
【００１７】
配置情報５は、紙面のレイアウトが確定すると、管理手段１によって作成される。この配置情報５には、紙面上に配置されたテーマを持つ複数の素材をグルーピングして形成されるグループ枠に関するレイアウト情報及びグループ枠内に配置される各素材に関するレイアウト情報が設定される。素材とは、紙面を組み立てている記事、見出し、絵とき（写真や絵など）、表、箱、地紋などを言う。グルーピングに用いるテーマは、記事や写真の概要を表す。たとえば、「天気予報」、「社説」などの決まりものから、「シリーズＡ」などの連載記事の主題やキーワードなどであってもよい。紙面を組む場合には、このようなテーマが共通の素材（たとえば、記事とこれに関する写真と見出しなど）を一塊にして紙面上に配置する。以下、このようにまとめて配置される素材群をグループ、グループが紙面上に占める領域をグループ枠とする。配置情報５には、グループ枠の紙面への組方と組方向を定義する組規則と、グループ枠の紙面上の位置を定義する枠位置及びグループを構成する各素材の識別情報や配置などの素材配置などの情報が設定される。詳細については後述する。
【００１８】
更新配置情報６は、再配置手段２及び復帰手段３によって行われた再配置によって更新された配置情報であり、形式などは配置情報５と同じである。
配置規則７は、組方と組方向より成り立っており、配置するグループ枠と、隣接するグループ枠との組方及び組方向の組み合わせについて、正常と判定されるケースと、異常または発生し得ないと判定されるケースを定義している情報である。
【００１９】
このような各処理手段による紙面レイアウト方法について説明する。
オペレータが所定の紙面に素材を配置し、その紙面レイアウトを確定させる確定指示を行うと、レイアウト制御手段４によって管理手段１の処理が開始され、この紙面に配置された素材がテーマごとにグルーピングされ、そのグループ単位ごとに配置情報５が生成される。配置情報５には、当該グループ単位のテーマ、グループ枠の配置に関する組規則や枠位置、グループに属する素材の配置などが設定される。
【００２０】
この紙面に配置された素材の入れ替えに対応したレイアウト変更をしたい場合には、オペレータは、紙面を指定して本方法を実施するシステムに対し再配置指示を行う。これにより、レイアウト制御手段４によって再配置手段２の処理が開始される。再配置手段２によって、再配置が指示された紙面について、グループ単位ごとに順に、配置情報５のテーマと素材情報に適合する素材が紙面に割り当てられた素材から検索され、検索された素材が配置情報５に基づいて紙面に再配置される。このとき、隣接するグループ枠同士の関係が配置規則７に適合するかどうかが判定する。適合しないと判定される場合は、レイアウトを中断し、オペレータに通知する。最終的に、再配置に応じて更新配置情報６が生成されるとともに、再レイアウトされた紙面が表示装置などに表示され、オペレータに伝えられる。このように、前回の配置情報５に基づいて、素材が入れ替えられた場合にはその素材を含む素材が自動的に再配置される。また、このとき、一旦紙面を無効化してから再配置を行うので、紙面全体でレイアウト調整を行うことができる。
【００２１】
こうして再レイアウトされた紙面を表示装置などで確認し、オペレータがこれを認めれば、確定指示が行われ、管理手段１によって配置情報５が更新配置情報６に置き換えられて更新される。また、再配置前の状態に戻したい場合は、オペレータは復帰指示を行う。復帰指示によりレイアウト制御手段４によって復帰手段３の処理が開始され、配置情報５のグループ枠配置に関する情報を固定したまま、素材の配置を行う。すなわち、再配置前のグループ枠が維持されたまま、紙面レイアウトが行われ、更新配置情報６が生成される。これとともに、再レイアウトされた紙面が表示装置などに表示され、オペレータに伝えられる。このように、紙面のレイアウトを保持したまま、素材の入れ替えなどに対応させることもできる。
【００２２】
以上のように、一度配置した紙面の配置情報を管理しておき、再レイアウトの際には、この配置情報に基づき自動的に紙面に素材を再配置させることができる。このとき、紙面全体でレイアウト調整を行わせることもできるし、一度配置したグループ枠の状態を維持しながらグループ単位でのレイアウト調整を行わせることもできる。
【００２３】
なお、上記の説明では、配置情報５を管理手段１で更新するとしたが、再配置前の配置情報５を所定の記憶領域に格納して保持しておき、再配置手段２及び復帰手段３が直接配置情報５を更新する手順としても同様の処理機能が実現される。
【００２４】
以下、実施の形態を、新聞紙面の組版システムに適用した場合を例に図面を参照して詳細に説明する。図２は、本発明の実施の形態の紙面レイアウト装置が適用される組版システムの構成図である。
【００２５】
本実施の形態の紙面レイアウト装置１０が適用される組版システムは、紙面レイアウト装置（以下、レイアウト装置とする）１０と、各種紙面情報を管理するデータサーバ２０が接続され、さらに、ネットワーク４０を介して各記者や編集者などが利用する端末装置３１、３２や、ニュース配信サーバ３３に接続される。
【００２６】
レイアウト装置１０は、表示装置（以下、モニタとする）１０８と入力装置１０９に接続し、管理部１１、再配置部１２、復帰部１３及びレイアウト制御部１４の各処理部と、配置情報（記憶部）１５及び配置規則（記憶部）１６の記憶部を具備する。また、素材情報データベース（以下、ＤＢとする）２１及び配置情報ＤＢ２２などを管理するデータサーバ２０が、図示しない内部ネットワークを介して接続する。
【００２７】
管理部１１は、レイアウトの確定が指示されると、レイアウトが確定した紙面について、この紙面に配置された素材をテーマごとにグルーピングし、そのグループ単位ごとに配置情報を生成し配置情報ＤＢ２２に保存する。
【００２８】
再配置部１２は、紙面の再配置が指示されると、配置情報ＤＢ２２に格納される対象の配置情報を読み出し、配置情報（記憶部）１５へ格納する。そして、紙面全体の領域を無効化し、配置情報の登録順に従ってグループ単位で素材のレイアウトを行う。グループ単位ごとに、紙面に割り当てられた素材からテーマに適合する素材を検索し、検索された素材を配置情報に基づき再配置する。このとき、配置が正常であるかどうかを、配置規則（記憶部）１６に格納される配置規則を参照して判定する。異常であれば、再配置処理を中断し、オペレータの指示を待つ。こうして紙面全体について生成した更新配置情報が承認されれば（正常であると判断されれば）、配置情報ＤＢ２２の当該配置情報を更新配置情報に置き換えて更新する。
【００２９】
復帰部１３は、紙面レイアウトの復帰が指示されると、配置情報（記憶部）１５に保持されている配置情報のグループ枠に関する配置指定を維持するように再配置部１２と同様に紙面に割り当てられた素材の配置を行う。
【００３０】
レイアウト制御部１４は、入力装置１０９を介して入力されるオペレータの指示に従ってレイアウト処理を行い、レイアウト作業を行う紙面の画像や、レイアウト作業に必要な情報の設定画面などをモニタ１０８に表示する。また、必要に応じて、管理部１１、再配置部１２及び復帰部１３を起動し、紙面の自動レイアウトを制御する。
【００３１】
データサーバ２０は、素材情報ＤＢ２１及び配置情報ＤＢ２２の各情報の管理を行う。
素材情報ＤＢ２１は、端末装置３１、３２、あるいはニュースを配信する配信社のサーバ３３などからネットワーク４０を介してデータサーバ２０に入力される記事や絵ときなどの素材を格納する。データサーバ２０が受信した各素材は、その素材を配置するべき紙面の情報やテーマと対応付けられて素材情報ＤＢ２１に格納される。従って、再配置部１２は、素材情報ＤＢ２１の中から、再配置対象とするグループに該当する素材を検索することができる。また、地紋や罫線など、規定の素材情報は、予め格納されていてもよい。
【００３２】
配置情報ＤＢ２２は、レイアウトに基づいて作成されたテーマによってグルーピングされたグループ枠の配置情報を格納する。
なお、図２の構成は一例であって、データサーバ２０は情報の種別ごとなど、複数のサーバにより構成されてもよい。
【００３３】
端末装置３１、３２は、記者やオペレータが記事の作成や、テーマ設定などを行う装置で、生成された情報はネットワーク４０を介して送信される。ニュース配信サーバ３３は、ニュース配信社のニュース配信用のサーバであり、指定された素材をネットワーク４０を介してデータサーバ２０に送信する。
【００３４】
ここで、レイアウト装置１０のハードウェア構成について説明する。図３は、本実施の形態のレイアウト装置のハードウェア構成例を示すブロック図である。
レイアウト装置１０は、ＣＰＵ（Central Processing Unit）１０１によって装置全体が制御されている。ＣＰＵ１０１には、バス１０７を介してＲＡＭ（Random Access Memory）１０２、ハードディスクドライブ（ＨＤＤ：Hard Disk Drive）１０３、グラフィック処理装置１０４、入力インタフェース１０５、通信インタフェース１０６が接続されている。
【００３５】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションのプログラムが格納される。グラフィック処理装置１０４には、モニタ１０８が接続されており、ＣＰＵ１０１からの命令に従って画像をモニタ１０８の画面に表示させる。入力インタフェース１０５には、キーボード１０９ａやマウス１０９ｂが接続されており、キーボード１０９ａやマウス１０９ｂから送られてくる信号を、バス１０７を介してＣＰＵ１０１に送信する。通信インタフェース１０６は、ネットワーク４０に接続されており、ネットワーク４０を介して外部装置との間でデータの送受信を行う。
【００３６】
このようなハードウェア構成によって、本実施の形態の処理機能を実現することができる。なお、モニタ１０８、キーボード１０９ａ及びマウス１０９ｂは、直接レイアウト装置１０に接続するのではなく、ネットワーク４０を介して接続する他装置のモニタ、キーボード及びマウスと接続してもよい。この場合、データは、通信インタフェース１０６を介して交換される。
【００３７】
上記の説明のレイアウト装置１０の動作について説明する。
まず、新聞紙面のレイアウトについて説明する。図４は、本実施の形態の紙面レイアウトの一例を示した図である。
【００３８】
紙面２００は、レイアウト装置１０に接続するモニタ１０８の画面上に表示される。紙面の右上には、テーマが同じ素材群を囲むグループ枠２１０に、グループに属する見出し２１１、絵とき２１２及び記事２１３の各素材が配置されている。グループ枠２１０の枠位置及び各素材の配置は、配置情報により規定されている。
【００３９】
図５は、本実施の形態の配置情報の一例を示した図である。これは、図４に示したグループに関する配置情報のデータであり、配置情報ＤＢ２２内に格納される。
配置情報３００は、複数素材の共通項目（テーマ）であるテーマフィールド３０１、グループ枠の枠位置の決め方を指定する組方フィールド３０２、組方向フィールド３０３、開始段フィールド３０４及び終了段フィールド３０５、各段の開始行と終了行を指定する枠位置フィールド３０６及び素材に関する素材情報フィールド３０７などにより構成される。
【００４０】
テーマフィールド３０１に設定されるテーマとは、記事グループの概要に値するものであり、紙面を組み立てる記事、見出し、絵とき、表、箱、地紋などの素材をグルーピングするための情報である。図の例では、「自動配置／本記」であることが示されている。このほか、「天気予報」など、記事の内容に関する概要が設定されてもよい。
【００４１】
組方フィールド３０２の組方とは、記事の配列の方法を表し、寄せ、流し、たたみなどがある。図を用いて説明する。図６は、本実施の形態に適用される組方の例を示した図である。順に、（Ａ）寄せ（右）、（Ｂ）寄せ（左）、（Ｃ）たたみ（右）、（Ｄ）たたみ（左）及び（Ｅ）流し、を示している。
【００４２】
図５に戻って説明する。
組方向フィールド３０３の組方向とは、寄せ方向ともいい、紙面において始行側／終行側に配置する方向である。開始段フィールド３０４及び終了段フィールド３０５の開始段及び終了段とは、配置した複数素材を一つのグループ単位としたグループ枠の開始段、終了段である。枠位置フィールド３０６の枠位置は各段の開始行、終了行で表され、配置情報の開始段から終了段までの各開始行、終了行である。素材情報フィールド３０７の素材情報には、素材ＩＤ、組種別、配置モード、素材大きさ、素材配置位置などが設定される。素材ＩＤは素材を一意に特定するためのＩＤである。組種別は見出し、絵とき、箱、記事など、組の種別を表す。配置モードは、枠位置内のどこに素材を配置するかの指定であり、右は開始行側に配置、左は終了行側に配置、中は開始行と終了行までの中に配置、行は現在の配置位置に配置をするという意味を表している。
【００４３】
素材大きさとは素材の大きさであり段数、行数、文字数などで表されるが単位は問わない。素材配置位置は配置した複数素材を一つの単位としての各素材の配置位置である。
図５の配置情報は、図４のグループ単位のグループ枠２１０が、開始段「１段」から終了段「４段」に、「右方向、寄せ」に配置され、枠内は、素材ＩＤ００１の見出し２１１が「右」、素材ＩＤ００２の絵とき２１２が「左」、素材ＩＤ００３の記事が「寄せ」で配置されることが示されている。
【００４４】
なお、図示する情報以外にも、どの紙面に割り当てるかを示す紙面に関する情報や、紙面の中で、何番目にレイアウトされるべきかを示す組版順番などの情報もグループ単位ごとに保持している。この配置情報は各項目が特定できる他の項目より成り立っていても、効果は同じであり、本発明の範疇となる。
【００４５】
以下、このような配置情報を用いて実行される紙面レイアウト方法について紙面全体のレイアウト調整を行う再配置処理と、グループ枠の配置を固定したまま素材を配置する復帰処理とに分けて説明する。なお、素材を配置する配置実行処理は再配置処理に含めて説明する。
【００４６】
まず、再配置処理について説明する。図７は、本実施の形態の再配置処理の手順を示したフローチャートである。この処理は、図１の再配置手段２及び図２の再配置部１２の行う処理に相当する。再配置処理では、既にレイアウト済みである紙面につき現在の配置情報を保存し、現在の配置情報に対応する素材の領域無効化を行う（ａ）準備系、現在の配置情報を利用し、配置規則を参照して再配置を行う（ｂ）実行系及び異常となった配置規則のテーマをオペレータに通知などを行う（ｃ）通知系の３段階の処理が行われる。
【００４７】
一度配置が確定した紙面について、オペレータが再配置を指示することにより、処理が開始される。素材の入れ替えや変更については、処理開始の前までに素材情報ＤＢ２２に変更後の素材情報が格納されているものとする。
【００４８】
（ａ）準備系
［ステップＳ１１］  再配置部１２は、配置情報保存において、再配置後の配置規則判定時に規則違反が発生した場合に、再配置以前の配置情報に復帰することを可能とするために、配置情報ＤＢ２２の中からメモリ上の配置情報１５の領域へ、再配置前の紙面にレイアウトされている全てのグループの配置情報の保存を行う。
【００４９】
［ステップＳ１２］  続いて、領域無効化において、現在の配置情報に管理されている素材を特定し、素材が配置されている領域を解除する。
以上の処理手順により、現在の配置情報が保存されるとともに、紙面に対応する素材の領域無効化を行い、準備が完了する。領域無効化の処理に伴い、再配置部１２は、図５に示す配置情報のうち、枠位置の情報をクリアする。
【００５０】
（ｂ）実行系
再配置部１２は、配置情報に基づき、グループ単位ごとに、全グループ単位が終了または異常となるまで、ステップＳ１３からステップＳ１５までの処理を繰り返す。
【００５１】
［ステップＳ１３］  再配置は、配置情報１５へ読み出した配置情報に管理している組版順番に従い、再配置対象となる素材の特定を行い、配置情報に管理している、開始段、終了段、枠位置（各段の開始行、終了行）、記事量、素材大きさ、配置モード（右、左、中、行）、組方（寄せ、流し、たたみ）、組方向（右、左、無し）に従い、配置を行い、再配置後の配置情報を作成する。配置処理の詳細については、後述する。
【００５２】
［ステップＳ１４］  配置規則判定は配置情報に管理している組版順番に従い、再配置を行う際に、配置規則１６に格納してある配置規則に違反をしていないか判定を行う。判定の結果が異常（配置規則違反）の場合、処理をステップＳ１６へ進める。配置規則判定の詳細については、後述する。
【００５３】
［ステップＳ１５］  配置規則判定が正常（配置規則違反なし）の場合、次の組版（グループ単位に付けられた処理順）順番があれば、ステップＳ１３に戻って、再配置からの処理を繰り返す。次の組版順番がなければ、処理をステップＳ１７へ進める。
【００５４】
［ステップＳ１６］  配置規則判定が異常（配置規則違反あり）の場合、再配置を行った素材の領域無効化を行い、異常となった配置情報の組版順番以前の組版順番である配置情報は再配置したままとし、処理をステップＳ１７へ進める。
【００５５】
（ｃ）通知系
［ステップＳ１７］  実行系の処理が正常終了した場合、全ての配置情報について再配置後のオーバーフロー／アンダーフローをオペレータに通知する。実行系の処理が異常終了した場合、異常となった配置規則のテーマをオペレータに通知する。再配置の結果がオペレータにより承認されれば、再配置後の情報で配置情報１５を更新し、配置情報ＤＢ２２へその内容を反映させる。
【００５６】
以上の処理手順が実行されることにより、再配置前の配置情報に基づき、変更後の素材を適用したレイアウトが、変更の生じた素材の属するグループについて行われるのみでなく、紙面全体の再レイアウトも自動で行われる。
【００５７】
なお、配置規則判定で異常が発生した場合、オペレータの判断で復帰することを可能とするため、配置情報保存（ステップＳ１１）に再配置前の配置情報を保存しておく。保存した再配置前の配置情報により再度配置を行うことにより、再配置前の配置情報への復帰を可能とする。
【００５８】
ここで、再配置処理（ステップＳ１３）について詳細に説明する。
図８は、本実施の形態の組版順番ごとの再配置処理の手順を示したフローチャートである。
【００５９】
再配置処理は、再配置部１２により、配置情報に登録された組版順番に従って、グループ単位で実行される。
［ステップＳ１３１］  流し素材の収集では、再配置する紙面を構成するグループの配置情報として配置情報１５へ読み出されている配置情報のテーマ項目と同一のテーマを持つ記事などにつき、素材情報ＤＢ２１の中から記事などの本文の収集を行い、再配置対象素材として再配置を行う際に利用するメモリ上の更新配置情報６に登録する。
【００６０】
［ステップＳ１３２］  置く素材の収集では、同様に、配置情報のテーマ項目と同一テーマを持つ絵とき、見出しなど、配置モードを持つ素材の収集を素材情報ＤＢ２１の中から行い、再配置対象素材として再配置を行う際に利用するメモリ上の更新配置情報６に登録する。
【００６１】
［ステップＳ１３３］  総量計算により、置く素材の面積として再配置処理が行われた時点での各置く素材の大きさの総和を求める。流し素材の面積は、再配置処理が行われた時点での各記事の行数の総和より面積を求める。流し素材の面積を求めた結果、図５に示す配置情報内の素材情報フィールド３０７の大きさのデータを更新する。
【００６２】
［ステップＳ１３４］  枠設定は、総量計算（ステップＳ１３３）により求めた面積に対応する面積で、紙面に、再配置前の配置情報の組方、組方向、開始段、終了段に従い空き領域に枠を設定する。
【００６３】
なお、配置情報内の組方３０２が、「寄せ」または「たたみ」の場合は、開始段３０４及び終了段３０５は維持したまま、枠位置３０６の開始行及び終了行を更新して設定し、組方３０２が「流し」の場合は、開始段３０４は維持したまま、終了段３０５及び枠位置３０６の開始行及び終了行を更新して設定する。
【００６４】
［ステップＳ１３５］  罫線配置は、枠設定（ステップＳ１３４）で設定した枠に対して、現在の配置情報に保持している罫情報より罫線の配置を行う。
［ステップＳ１３６］  置く素材配置は、枠設定（ステップＳ１３４）で設定した枠内に置く素材の配置を再配置処理指示前の素材情報の段位置と素材配置位置に従い、配置を行う。行位置は、再配置処理指示前の配置情報は使用せず、ステップＳ１３４で決定した再配置時の枠位置の開始行、終了行の状態に応じて更新する。
【００６５】
［ステップＳ１３７］  流し素材の配置を、枠設定（ステップＳ１３４）で設定した枠内の置く素材配置（ステップＳ１３６）で配置された領域以外の空き領域に配置を行う。
以上の処理手順が実行されることにより、オペレータから指示された再配置を行うべき紙面につき、配置情報に基づき、変更後の素材が紙面に再配置されるとともに、素材が属するグループ枠の大きさの変更が行われる。
【００６６】
次に、配置規則判定（ステップＳ１４）の処理を詳細に説明する。まず、配置規則について説明する。図９は、本発明の実施の形態の配置規則の一例を示した図である。
配置規則は、組方と組方向より成り立っている。図では、配置するグループ枠と、隣接するグループ枠との組方及び組方向の組み合わせについて、正常と判定されるケースと、異常または発生し得ないと判定されるケースを設定している。たとえば、隣接するグループ枠の組方向が右方向の配置情報に対して、紙面の始行側から組方向が左方向の配置情報の作成を制限している。このような配置情報はお互いの配置情報に依存しあっており配置処理が行えないことになるため制限している。
【００６７】
このような配置規則によって配置規則判定が行われる。
図１０は、本実施の形態の配置規則判定処理の手順を示したフローチャートである。
配置規則判定処理は、配置処理（ステップＳ１３）によって、素材の配置が行われた後、処理を開始する。
【００６８】
［ステップＳ１４１］  隣接素材取得は、再配置処理の枠設定（ステップＳ１３４）で設定した枠に隣接する素材を取得する。
［ステップＳ１４２］  配置情報取得は、素材が属している配置情報を取得する。
【００６９】
［ステップＳ１４３］  配置規則判定は、配置情報取得（ステップＳ１４２）で取得した配置情報の組方、組方向により配置規則判定を行う。判定結果は、正常（配置規則違反なし）と、異常（配置規則違反あり）のいずれかを返す。
【００７０】
以上のように、再配置処理では、紙面に対応する素材の領域無効化を行った後、紙面について設定された配置情報に基づき、全グループ単位について、グループ単位ごとに順に再配置と配置規則判定を繰り返すことにより、紙面全体の自動配置を行うことが可能となる。
【００７１】
なお、上記の説明では、紙面全体を自動再配置するとしたが、オペレータがマウスなどの入力装置より再配置したいレイアウトを指定することにより、一つの配置情報の自動再配置処理とすることも可能である。
【００７２】
また、オペレータがマウスなどの入力装置より再配置したいレイアウトを指定することにより、指定された配置情報から以降の組版順番である配置情報の自動再配置処理とすることも可能である。
【００７３】
次に、復帰処理について説明する。
図１１は、本実施の形態の復帰処理の手順を示したフローチャートである。この処理は、図１の復帰手段３及び図２の復帰部１３の行う処理に相当する。復帰処理では、再配置部１２によって行われた処理のアンドゥ処理を行い、元のレイアウト状態に戻すための処理として、現在の配置情報を保存し、現在の配置情報に対応する素材の領域無効化を行う（ａ）準備系、記憶済みの配置情報を利用し、配置規則を参照して配置復帰処理を行う（ｂ）実行系及び異常となった配置規則のテーマをオペレータに通知などを行う（ｃ）通知系の３段階の処理が行われる。
【００７４】
（ａ）準備系
［ステップＳ２１］  配置情報読込では、再配置処理の配置情報保存（ステップＳ１１）によって保存された、再配置前の紙面全体の配置情報を読込む。そして、再配置前の配置情報の開始段、終了段、枠位置（各段の開始行、終了行）を配置情報に設定する。
【００７５】
［ステップＳ２２］  領域無効化は現在の配置情報に管理されている素材を特定し、素材が配置されている領域を解除する。
以上の処理手順により、メモリ上の配置情報１５に再配置前の配置情報が設定され、紙面に対応する素材の領域無効化を行い、準備が完了する。
【００７６】
（ｂ）実行系
再配置前の設定に戻された配置情報に基づき、グループ単位ごとに、全グループ単位が終了または異常となるまで、ステップＳ２３からステップＳ２５までの処理を繰り返す。
【００７７】
［ステップＳ２３］  再配置は、配置情報に管理している組版順番に従い、再配置対象となる素材の特定を行い、配置情報に管理している、開始段、終了段、枠位置（各段の開始行、終了行）、記事量、素材大きさ、配置モード（右、左、中、行）、組方（寄せ、流し、たたみ）、組方向（右、左、無し）に従い、配置を行い、再配置後の配置情報を作成する。処理手順は、図８に示した再配置処理の場合と同様であるが、グループ枠は再配置前の状態を維持するように配置が行われる。
【００７８】
［ステップＳ２４］  配置規則判定は配置情報に管理している組版順番に従い、再配置を行う際に、配置規則に違反をしていないか判定を行う。判定の結果が異常（配置規則違反）の場合、処理をステップＳ２６へ進める。配置規則判定については、前述と同様の処理を行う。
【００７９】
［ステップＳ２５］  配置規則判定が正常（配置規則違反なし）の場合、次の組版（グループ単位に付けられた処理順）順番があれば、ステップＳ２３に戻って、再配置からの処理を繰り返す。次の組版順番がなければ、処理をステップＳ２７へ進める。
【００８０】
［ステップＳ２６］  配置規則判定が異常（配置規則違反あり）の場合、再配置を行った素材の領域無効化を行い、異常となった配置情報の組版順番以前の組版順番である配置情報は再配置したままとし、処理をステップＳ２７へ進める。
【００８１】
（ｃ）通知系
［ステップＳ２７］  実行系の処理が正常終了した場合、全ての配置情報について再配置後のオーバーフロー／アンダーフローをオペレータに通知する。実行系の処理が異常終了した場合、異常となった配置規則のテーマをオペレータに通知する。
【００８２】
以上の処理手順が実行されることにより、紙面レイアウトは、再配置前の配置情報に基づく状態に復帰される。
このように、一度配置した素材の配置情報を管理し、配置情報を参照利用することにより、配置された素材を自動で再配置することが可能となる。
【００８３】
従来はレイアウトの変更を行うと、オペレータが手動で紙面全体のレイアウトを再決定しなければならなかったが、本実施の形態では配置情報に基づき自動で紙面全体のレイアウトの再決定を行うことにより、オペレータの負担を軽減できる。たとえば、配置情報に基づき再配置を行った結果、オーバーフロー／アンダーフローが発生した時には、オペレータが素材の横幅（行数）を増減するなどの微調整を行った後に、再度、再配置指示を行うことにより、更新後の素材の大きさ及びそれを反映した配置情報に基づき紙面全体のレイアウト決定を行うことができる。さらに、オーバーフロー／アンダーフローが発生した時に、再配置指示を行うことにより、組版順番に従い素材の横幅（行数）に応じて本システムがグループ枠の大きさを自動で増減して、組版順番に従って各グループ枠のレイアウトを行うことにより、紙面全体のレイアウト決定を行うことができる。
【００８４】
次に、具体的な紙面レイアウト画面を用いて、本実施の形態の紙面レイアウト処理手順について説明する。
図１２は、本実施の形態の紙面レイアウト画面（再配置前）の一例を示した図である。
【００８５】
紙面レイアウト画面に表示された紙面４００は、複数のグループ単位で構成され、それぞれのグループ単位は、見出し、絵とき及び記事などを組み合わせて構成される。たとえば、左上のグループ単位は、見出し４０１、絵とき４０２及び記事４０３から構成される。また、グループ単位とグループ単位の間には、罫線４０４が設定される場合もある。
【００８６】
このような紙面レイアウトは、配置情報の組版順番に従って配置処理が行われる。
図１３は、本実施の形態の図１２に示す紙面レイアウト画面の組版順番の一例を示した図である。
【００８７】
図では、鎖線で囲まれた部分が各グループの領域を示すグループ枠であり、番号は組版順番を示している。なお、組版順番とは、グループ単位で実行される配置処理における処理順を表す。たとえば、配置情報の登録順としたり、配置情報に任意の設定番号を記憶しておくようにすることもできる。
【００８８】
図の例では、組版順番（１）の再配置処理では、紙面左下のグループ枠４１０に素材が配置される。同様に、組版順番（２）の再配置処理ではその上のグループ枠４２０、組版順番（３）の再配置処理ではグループ枠４１０の右隣のグループ枠４３０、組版順番（４）の再配置処理ではその右隣のグループ枠４４０、組版順番（５）の再配置処理では右下のグループ枠４５０、組版順番（６）の再配置処理では真ん中のグループ枠４６０及び組版順番（７）の再配置処理では右上のグループ枠４７０にそれぞれ素材が配置される。
【００８９】
このような紙面レイアウトについて、素材の入れ替えなどによって、再配置が必要になったとする。
図１４は、本実施の形態で素材入れ替えを行った場合の紙面レイアウト画面の一例を示した図である。図は、グループ枠を固定して素材の入れ替えを行った場合を示している。
【００９０】
図では、図１２、１３に示した紙面に対し、複数の素材の入れ替えが行われている。具体的には、組版順番（１）で配置されるグループ枠４１０では、図１３に示した見出し（置く素材）４１１の大きさが４段であったものが、図１４では３段に小さく変更されており、アンダーフローが発生している。以下、組版順番（２）のグループ枠４２０では、見出し（置く素材）４２１の大きさ（行数）が小さくなり、アンダーフローが発生している。組版順番（４）のグループ枠４４０では、絵とき（置く素材）４４２が追加され、オーバーフローが発生している。また、組版順番（７）のグループ枠４７０では、絵とき（置く素材）４７２の大きさ（段数）が大きくなり、オーバーフローが発生している。
【００９１】
このように、レイアウト済みの素材を大きさが異なる素材に変更することによって、レイアウト済みの各グループ枠に対してオーバーフローまたはアンダーフローが発生する。なお、上記の説明では、置く素材（絵ときや見出しなど、流しを行わない素材）の大きさが変更になった場合について説明したが、流し素材の大きさ（記事量の増減）が変更になった場合にも同様にオーバーフローまたはアンダーフローが発生する。
【００９２】
そこで、オーバーフローやアンダーフローを解消するために、配置情報に基づき、素材の再配置を行う。まず、紙面に対応する素材の領域無効化を行う。その後、グループ単位で、組版順番に従い再配置を行っていく。以下、再配置の際には、配置情報の組方、組方向、開始段及び終了段が維持されるようにグループ枠の大きさを変更するとして説明する。
【００９３】
まず、組版順番（１）の再配置処理が行われる。
図１５は、本実施の形態の再配置処理において組版順番（１）の再配置が行われた紙面レイアウト画面を示した図である。
【００９４】
グループ枠４１０ａは、再配置前のグループ枠４１０が再配置されたものである。ここでは、グループ枠４１０には、アンダーフローが発生しているので、組方（寄せ）、組方向（右）、開始段（１段）、終了段（４段）を維持したまま、行数を減少して再配置している。
【００９５】
こうして組版順番（１）のグループ枠４１０ａが配置された後、組版順番（２）の再配置処理が行われる。図１６は、本実施の形態の再配置処理において組版順番（２）の再配置が行われた紙面レイアウト画面を示した図である。
【００９６】
グループ枠４２０ａは、再配置前のグループ枠４２０が再配置されたものである。ここでは、組版順番（２）のグループ枠４２０には、アンダーフローが発生しているので、グループ枠４１０ａと同様に、開始段、終了段を維持したまま、行数を減少して再配置している。
【００９７】
グループ枠４１０ａとグループ枠４２０ａが配置された後、組版順番（３）の再配置処理が行われるが、組版順番（３）のグループ枠４３０はアンダーフロー及びオーバーフローが発生していないので、そのまま配置される。続いて、組版順番（４）の再配置処理が行われる。図１７は、本実施の形態の再配置処理において組版順番（４）の再配置が行われた紙面レイアウト画面を示した図である。
【００９８】
グループ枠４３０ａは再配置前のグループ枠４３０、グループ枠４４０ａは再配置前のグループ枠４４０が再配置されたものである。グループ枠４３０ａは、グループ枠サイズはグループ枠４３０と同じであるが、右隣のグループ枠４１０ａが変更になっているので、組方向左に合わせ、組版順番（１）のグループ枠４１０ａの行数減少によって左に寄せられる分だけ開始行及び終了行の位置を変更してグループ枠４１０ａの右隣に行数の増減などはせずに元の大きさのままで配置される。一方、グループ枠４４０には、オーバーフローが発生しているので、グループ枠４１０ａと同様に開始段及び終了段は維持したまま、行数を増加し、組方向左に合わせグループ枠４３０ａの右隣に再配置する。
【００９９】
グループ枠４４０ａまで配置された後、組版順番（５）の再配置処理が行われるが、組版順番（５）のグループ枠４５０はアンダーフロー及びオーバーフローが発生していないので、そのまま配置される。図１８は、本実施の形態の再配置処理において組版順番（５）の再配置が行われた紙面レイアウト画面を示した図である。
【０１００】
グループ枠４５０ａは、再配置前のグループ枠４５０とグループ枠サイズも同じであり、グループ枠４５０と同様に紙面の右側にそのまま配置される。
グループ枠４５０ａまで配置された後、組版順番（６）の再配置処理が行われるが、組版順番（６）のグループ枠４６０はアンダーフロー及びオーバーフローが発生していないので、そのまま配置される。図１９は、本実施の形態の再配置処理において組版順番（６）の再配置が行われた紙面レイアウト画面を示した図である。
【０１０１】
グループ枠４６０ａは、再配置前のグループ枠４６０とグループ枠サイズは同じであるが、右隣のグループ枠４２０ａが変更になっているので、組方向左に合わせ、グループ枠４２０ａの右隣に開始行及び終了行の位置を変更して元の大きさのまま配置される。
【０１０２】
グループ枠４６０ａが配置された後、組版順番（７）の再配置処理が行われる。図２０は、本実施の形態の再配置処理において組版順番（７）の再配置が行われた紙面レイアウト画面を示した図である。
【０１０３】
グループ枠４７０ａは再配置前のグループ枠４７０が再配置されたものである。グループ枠４７０には、オーバーフローが発生しているので、グループ枠４１０ａと同様に開始段及び終了段は維持したまま、行数を増加し、紙面の右側に再配置する。
【０１０４】
以上のように、組版順番に従って、順次グループ枠が調整され、再配置される。これによって、紙面全体で自動的にレイアウトを調整することが可能となる。レイアウト作業を容易かつ迅速に行うことが可能となる。
【０１０５】
なお、上記の処理機能は、コンピュータによって実現することができる。その場合、レイアウト装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【０１０６】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１０７】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１０８】
（付記１）  見出し、絵とき及び記事を含む素材を紙面に配置する紙面レイアウト方法において、
管理手段が、前記紙面に配置された前記素材を共通項目でグルーピングしたグループ単位で、前記共通項目、前記グループを構成する前記素材に関する素材情報、グループ枠及び前記素材の配置を含むレイアウトに関する配置情報を生成して保存する工程と、
再配置手段が、前記グループ単位ごとに、前記紙面に割り当てられた複数の前記素材の中から前記配置情報の前記共通項目に適合する前記素材を検索し、検索された前記素材を前記配置情報に基づいて前記紙面に再配置する工程と、
を有することを特徴とする紙面レイアウト方法。
【０１０９】
（付記２）  前記再配置手段が前記素材を前記紙面に再配置する工程は、
前記グループ単位の再配置を行うごとに、前記グループ単位の再配置が所定の配置規則に適合するかどうかを判定する、
ことを特徴とする付記１記載の紙面レイアウト方法。
【０１１０】
（付記３）  前記再配置手段が前記素材を前記紙面に再配置する工程は、
前記配置規則に適合しないと判定された場合は、再配置を中断し、適合しないと判断された前記グループ単位より前の前記グループ単位までの再配置に基づいて前記配置情報を更新する、
ことを特徴とする付記２記載の紙面レイアウト方法。
【０１１１】
（付記４）  前記再配置手段が前記素材を前記紙面に再配置する工程は、
前記紙面上の所定の前記グループ枠が指定されて再配置の指示が行われた場合は、前記グループ枠に対応する前記配置情報に基づき、前記グループ枠を構成する前記素材を再配置する、
ことを特徴とする付記１記載の紙面レイアウト方法。
【０１１２】
（付記５）  前記再配置手段が前記素材を前記紙面に再配置する工程は、
前記紙面上の所定の前記グループ枠が指定されて再配置の指示が行われた場合は、前記配置情報の登録順に従って、前記グループ枠及び前記グループ枠以降の登録順で前記配置情報に設定される前記グループ単位について再配置を行う、
ことを特徴とする付記１記載の紙面レイアウト方法。
【０１１３】
（付記６）  前記再配置手段が前記素材を前記紙面に再配置する工程は、
再配置によってオーバーフローまたはアンダーフローが発生した場合、オーバーフロー行数及びアンダーフロー行数を通知する、
ことを特徴とする付記１記載の紙面レイアウト方法。
【０１１４】
（付記７）  前記再配置手段が前記素材を前記紙面に再配置する工程は、再配置前の前記配置情報を所定の記憶手段に保存しており、
復帰手段が、前記所定の記憶手段に格納される再配置前の前記配置情報で定義される前記グループ枠の配置に基づき前記紙面に割り当てられた前記素材を再配置し、前記配置情報を更新する工程、
を有することを特徴とする付記１記載の紙面レイアウト方法。
【０１１５】
（付記８）  見出し、絵とき及び記事を含む素材を紙面に配置する紙面レイアウト装置において、
前記紙面に配置された前記素材を共通項目でグルーピングしたグループ単位で、前記共通項目、前記グループを構成する前記素材に関する素材情報、グループ枠及び前記素材の配置を含むレイアウトに関する配置情報を生成して保存する管理手段と、
前記グループ単位ごとに、前記紙面に割り当てられた複数の前記素材の中から前記配置情報の前記共通項目に適合する前記素材を検索し、検索された前記素材を前記配置情報に基づいて前記紙面に再配置する再配置手段と、
を有することを特徴とする紙面レイアウト装置。
【０１１６】
（付記９）  見出し、絵とき及び記事を含む素材を紙面に配置する紙面レイアウト処理を行う紙面レイアウト処理プログラムにおいて、
コンピュータを、
前記紙面に配置された前記素材を共通項目でグルーピングしたグループ単位で、前記共通項目、前記グループを構成する前記素材に関する素材情報、グループ枠及び前記素材の配置を含むレイアウトに関する配置情報を生成して保存する管理手段、
前記グループ単位ごとに、前記紙面に割り当てられた複数の前記素材の中から前記配置情報の前記共通項目に適合する前記素材を検索し、検索された前記素材を前記配置情報に基づいて前記紙面に再配置する再配置手段、
として機能させることを特徴とする紙面レイアウト処理プログラム。
【図面の簡単な説明】
【０１１７】
【図１】実施の形態に適用される発明の概念図である。
【図２】本発明の実施の形態の紙面レイアウト装置が適用される組版システムの構成図である。
【図３】本実施の形態のレイアウト装置のハードウェア構成例を示すブロック図である。
【図４】本実施の形態の紙面レイアウトの一例を示した図である。
【図５】本実施の形態の配置情報の一例を示した図である。
【図６】本実施の形態に適用される組方の例を示した図である。
【図７】本実施の形態の再配置処理の手順を示したフローチャートである。
【図８】本実施の形態の組版順番ごとの再配置処理の手順を示したフローチャートである。
【図９】本発明の実施の形態の配置規則の一例を示した図である。
【図１０】本実施の形態の配置規則判定処理の手順を示したフローチャートである。
【図１１】本実施の形態の復帰処理の手順を示したフローチャートである。
【図１２】本実施の形態の紙面レイアウト画面（再配置前）の一例を示した図である。
【図１３】本実施の形態の図１２に示す紙面レイアウト画面の組版順番の一例を示した図である。
【図１４】本実施の形態で素材入れ替えを行った場合の紙面レイアウト画面の一例を示した図である。
【図１５】本実施の形態の再配置処理において組版順番（１）の再配置が行われた紙面レイアウト画面を示した図である。
【図１６】本実施の形態の再配置処理において組版順番（２）の再配置が行われた紙面レイアウト画面を示した図である。
【図１７】本実施の形態の再配置処理において組版順番（４）の再配置が行われた紙面レイアウト画面を示した図である。
【図１８】本実施の形態の再配置処理において組版順番（５）の再配置が行われた紙面レイアウト画面を示した図である。
【図１９】本実施の形態の再配置処理において組版順番（６）の再配置が行われた紙面レイアウト画面を示した図である。
【図２０】本実施の形態の再配置処理において組版順番（７）の再配置が行われた紙面レイアウト画面を示した図である。
【符号の説明】
【０１１８】
１  管理手段
２  再配置手段
３  復帰手段
４  レイアウト制御手段
５  配置情報
６  更新配置情報
７  配置規則
【図１】
2006318143.tif 000003
【図２】
2006318143.tif 000004
【図３】
2006318143.tif 000005
【図４】
2006318143.tif 000006
【図５】
2006318143.tif 000007
【図６】
2006318143.tif 000008
【図７】
2006318143.tif 000009
【図８】
2006318143.tif 000010
【図９】
2006318143.tif 000011
【図１０】
2006318143.tif 000012
【図１１】
2006318143.tif 000013
【図１２】
2006318143.tif 000014
【図１３】
2006318143.tif 000015
【図１４】
2006318143.tif 000016
【図１５】
2006318143.tif 000017
【図１６】
2006318143.tif 000018
【図１７】
2006318143.tif 000019
【図１８】
2006318143.tif 000020
【図１９】
2006318143.tif 000021
【図２０】
2006318143.tif 000022